【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
通信システムと、
エンティティに関係する移動通信装置により実行可能なコンピュータプログラムであって、前記移動通信装置は、
前記エンティティが制限された区域の入口点に近づくときに、前記通信システムから１つ又は複数の入場信号を受信し、
前記１つ又は複数の入場信号の受信信号強度を決定し、
１つ又は複数の入場基準が、入場要求を作成し且つ転送するために前記１つ又は複数の入場信号の前記受信信号強度に基づいて満足されているかを決定し、
前記１つ又は複数の入場基準が満足されていることを受けて、前記通信システムへ、前記入場要求を作成し且つ転送し、
前記通信システムから、出入制御システムにより前記制限された区域に入るための出入りを承認されている前記エンティティを示している認可データを受信し、
前記エンティティが前記制限された区域の出口点に近づくときに、前記通信システムから１つ又は複数の退出信号を受信し、
前記１つ又は複数の退出信号の受信信号強度を決定し、
１つ又は複数の退出基準が、退出要求を作成し且つ転送するために前記１つ又は複数の退出信号の前記受信信号強度に基づいて満足されているかを決定し、
前記１つ又は複数の退出基準が満足されていることを受けて、前記通信システムへ、前記制限された区域を出るために前記認可データを示している前記退出要求を作成し且つ転送する
ように構成される、コンピュータプログラムと
を含む、システム。
【請求項２】
前記通信システムが、
焦点を当てた入場信号送信領域を規定するための第１の指向性アンテナを含んでいる第１の入口通信装置であって、前記移動通信装置は、前記１つ又は複数の入場信号のうちの少なくともいくつかが前記焦点を当てた入場信号送信領域を示している前記１つ又は複数の入場基準を満足していることを決定することに応じて前記入場要求を作成し且つ転送するように構成される、第１の入口通信装置と、
焦点を当てた退出信号送信領域を規定するための第２の指向性アンテナを含んでいる第１の出口通信装置であって、前記移動通信装置は、前記１つ又は複数の退出信号のうちの少なくともいくつかが前記焦点を当てた退出信号送信領域を示している前記１つ又は複数の退出基準を満足していることを決定することに応じて前記退出要求を作成し且つ転送するように構成される、第１の出口通信装置と
のうちの少なくとも１つを含む、請求項１に記載のシステム。
【請求項３】
前記第１の入口通信装置及び前記第１の出口通信装置のうちの少なくとも１つの前記指向性アンテナがパラボラアンテナである、請求項２に記載のシステム。
【請求項４】
前記システムが、サーバ処理システムと、前記出入制御システムによりアクセス可能なデータストアとを含み、
前記サーバ処理システムが、
前記エンティティに関係するキーデータを作成し、
メモリに記憶するために前記移動通信装置へ前記キーデータを転送し、
前記データストアに前記キーデータを記憶する
ように構成され、
前記移動通信装置により作成された各々の入場要求及び退出要求が、前記キーデータからのキーを示しており、前記出入制御システムの出入制御処理システムが、前記キーを使用して前記データストアに問い合わせて、前記入場要求又は前記退出要求の有効性を検証する、
請求項１〜３のいずれか一項に記載のシステム。
【請求項５】
前記入場要求及び前記退出要求のうちの少なくとも１つが、エンティティアイデンティティ及びハッシュ化されたエンティティアイデンティティを示しており、前記出入制御システムが前記データストア及び前記移動通信装置に関する装置特有の情報に基づいて前記入場要求及び前記退出要求の前記有効性を検証することを可能にする、請求項４に記載のシステム。
【請求項６】
前記１つ又は複数の入場信号を受信する前に、前記移動通信装置は、
位置受信機を使用して前記制限された区域に対して規定されている領域横断イベントを検出し、
閉じられている場合には、前記領域横断イベントを検出することに応じて前記コンピュータプログラムを起動する
ように構成される、請求項１〜５のいずれか一項に記載のシステム。
【請求項７】
前記制限された区域は、
車両駐車区域であって、前記エンティティが前記車両駐車区域内に駐車するため車両に関係する利用者である、車両駐車区域と、
ビルディングの一部分であって、前記エンティティが前記ビルディングの前記一部分に出入りしようとしている利用者である、ビルディングの一部分と
のうちの１つである、請求項１〜６のいずれか一項に記載のシステム。
【請求項８】
前記移動通信装置により作成された前記入場要求及び前記退出要求のうちの少なくとも１つは、前記移動通信装置が現在接続されている１つ又は複数の無線装置を示しており、前記通信装置が多数の移動通信装置から受信された複数の実質的に同時の入場要求又は退出要求を示しているデータを受信するという場合には、前記入場要求又は前記退出要求のうちの少なくとも１つにより示されている前記１つ又は複数の接続されている無線装置が、前記複数の実質的に同時の入場要求又は退出要求からどの入場要求又は退出要求を処理するかを少なくとも部分的に決定するために使用される、請求項１〜７のいずれか一項に記載のシステム。
【請求項９】
前記通信システムが、
第１の入口送信機及び第２の入口送信機を含んでいる入口送信機のセットであって、各々が入口通路の中心に対して位置的にオフセットしており且つ前記入口通路の対向する側に設置されている、入口送信機のセットと、
第１の出口送信機及び第２の出口送信機を含んでいる出口送信機のセットであって、各々が出口通路の中心に対して位置的にオフセットしており且つ前記出口通路の対向する側に設置されている、出口送信機のセットと
のうちの少なくとも１つを含み、
前記移動通信装置により作成された前記入場要求及び前記退出要求のうちの少なくとも１つが、入口送信機又は出口送信機の前記セットにより作成された前記１つ若しくは複数の入場信号又は前記１つ若しくは複数の退出信号の前記受信信号強度に基づいて車両内の前記移動通信装置の相対的な位置を示しており、前記通信システムが多数の移動通信装置から複数の実質的に同時の入場要求又は退出要求を受信するという場合には、前記相対的な位置が、前記複数の実質的に同時の入場要求又は退出要求からどの入場要求又は退出要求を処理するかを少なくとも部分的に決定するために使用される、
請求項１〜８のいずれか一項に記載のシステム。
【請求項１０】
前記通信システムが、
１つ又は複数のさらなる入場信号を送信するように構成されている入口送信機と、
１つ又は複数のさらなる退出信号を送信するように構成されている出口送信機と
のうちの少なくとも１つを含み、
前記移動通信装置が、
受信したさらなる入場信号又は退出信号のピークパワーに基づいて尺度値を決定し、
前記１つ又は複数の受信した入場信号又は退出信号の１つ又は複数のスケーリングしたパワー値を決定する
ように前記コンピュータプログラムにより構成され、
前記１つ又は複数の入場基準又は退出基準が、増加率しきい値に等しい又は超える前記１つ又は複数の受信した入場信号又は退出信号のうちの少なくともいくつかの１つ又は複数のスケーリングしたパワー値の増加率を示している、
請求項３に記載のシステム。
【請求項１１】
前記移動通信装置が、利用者対話なしに前記入場要求及び前記退出要求のうちの少なくとも１つを自動的に転送するように構成される、請求項１〜１０のいずれか一項に記載のシステム。
【請求項１２】
サーバ処理システムをさらに含み、
前記サーバ処理システムは、前記移動通信装置に、前記入場基準及び前記退出基準を示すデータを含む構成データを転送するように構成される、
請求項１〜１１のいずれか一項に記載のシステム。
【請求項１３】
前記移動通信装置は、前記入場要求または退出要求を転送するときに、前記通信システムとの通信セッションを生成するように構成され、
前記通信システムは、１つの時に１つの通信セッションだけを行うように構成される、
請求項１〜１２のいずれか一項に記載のシステム。
【請求項１４】
移動通信装置により実行可能なコンピュータプログラムであって、前記コンピュータプログラムは、前記移動通信装置を、
利用者が制限された区域の入口点に近づくときに通信システムから１つ又は複数の入場信号を受信し、
前記１つ又は複数の入場信号の受信信号強度を決定し、
１つ又は複数の入場基準が、入場要求を作成し且つ転送するために前記１つ又は複数の入場信号の前記受信信号強度に基づいて満足されているかを決定し、
前記１つ又は複数の入場基準が満足されていることを受けて、前記通信システムへ、前記１つ又は複数の入場信号を受信した後で前記入場要求を作成し且つ転送し、
前記通信システムから、出入制御システムにより前記制限された区域へ入るための出入りを承認されている前記利用者を示している認可データを受信し、
前記利用者が前記制限された区域の出口点に近づくときに前記通信システムから１つ又は複数の退出信号を受信し、
前記１つ又は複数の退出信号の受信信号強度を決定し、
１つ又は複数の退出基準が、退出要求を作成し且つ転送するために前記１つ又は複数の退出信号の前記受信信号強度に基づいて満足されているかを決定し、
前記１つ又は複数の退出基準が満足されていることを受けて、前記通信システムへ、前記１つ又は複数の退出信号を受信した後で、前記利用者が前記制限された区域を出ることを可能にするために前記出入制御システムによる処理のため前記認可データを示している前記退出要求を作成し且つ転送する
ように構成する、コンピュータプログラム。
【請求項１５】
第１の通信装置及び第２の通信装置を含んでいる通信システムと、
エンティティに関係する移動通信装置により実行可能なコンピュータプログラムであって、前記移動通信装置は、
制限された区域の出入点に関係する第１の通信装置から１つ又は複数の第１の信号を受信し、
前記制限された区域の前記出入点に関係する第２の通信装置から１つ又は複数の第２の信号を受信し、
前記１つ又は複数の第１の信号及び前記１つ又は複数の第２の信号の受信信号強度を決定し、
１つ又は複数の基準が、出入要求を作成し且つ転送するために前記１つ又は複数の第１の信号及び前記１つ又は複数の第２の信号の前記受信信号強度に基づいて満足されているかを決定し、
前記１つ又は複数の基準が満足されていることを受けて、出入要求を作成し且つ転送して、出入制御システムが前記制限された区域への出入りを承認することを可能にする
ように構成される、コンピュータプログラムと
を含む、システム。